(57)【要約】      （修正有） 【課題】雪害、霜害、寒風、鳥害から植物を守る蔽いである鉢帽において、通風や水やりが容易で、植物が成長しても使用・運搬が可能な鉢帽を提供する。【解決手段】植木鉢２の上縁または土地に取り外し可能に装着される装着部３ｄと、ほぼ直上に設けた上部開口部と、側面に設けた側開口部とを有する鉢帽本体３と、鉢帽本体３の上開口部に着脱可能な気密性、透光性の天窓４と、鉢帽本体３の側開口部に着脱可能な気密性、透光性の側窓５と、を有する。水やりができ、植木がのびてくると天窓を外して対応でき、植木鉢と共に可搬性がある。【選択図】図１
0003149541.tif 000002
【実用新案登録請求の範囲】
【請求項１】
植木鉢または土地に着脱可能で植木鉢に植えた植物を蔽う鉢帽において、
植木鉢の上縁または土地に取り外し可能に装着される装着部と、ほぼ直上に設けた上開口部と、直下に設けた下開口部と、側面に設けた側開口部とを有する鉢帽本体と、
鉢帽本体の上開口部に着脱可能な気密性、透光性の天窓と、
鉢帽本体の側開口部に着脱可能な気密性、透光性の側窓と、
を有することを特徴とする鉢帽。
【考案の詳細な説明】
【技術分野】
【０００１】
この考案は土入りの植木鉢に植えた植物、特に苗の保護に用いる鉢帽に関する。
【背景技術】
【０００２】
従来、雪害、霜害、寒風、鳥害などから育苗時又は育苗後の植物を守るために、苗等に覆いをかぶせることが行われている。そして、近時は、現場では載置するだけで苗等を蔽うことができる植物蔽い具が提案されている。この植物蔽い具は地上に植えた苗を蔽う物は地上に載置又は固定する。土入りの植木鉢（以下、植木鉢と称す）に植えた苗等を蔽う植物蔽い具は植木鉢と苗等全体を蔽い地上に載置又は固定するものと、植木鉢の上縁に装着するものがある。
【先行技術文献】
【特許文献】
【０００３】
特開２００７−４３９７７号公報
実開平５−４８５８号公報
実開平３−９５７４８号公報
【非特許文献】
【０００４】
なし
【考案の概要】
【考案が解決しようとする課題】
【０００５】
植物蔽い具の本体が地上で支持される特許文献1のものは、地上に植えた苗を保護するための植物蔽い具である。この蔽い具を植木鉢に植えた苗等を保護しようとすると、上記本体は植木鉢をすっぽり蔽わねばならず必要以上に大きくなる。又、植木鉢を移動する際は植物蔽い具を外さなければならない。
【０００６】
特許文献２に記載の植物栽培容器の蓋構造によれば、植物栽培容器（図示は植物鉢）の縁に固定できる球面を四分割した固定側蓋部に同様形状の可動側蓋部を揺動可能に取り付けて、閉じた際に固定側蓋部の前縁と植木鉢の縁を境とする球面を四分割した空間でもって半球形ドーム状の蓋を設けている。特許文献２に記載のものによれば、可動側蓋部を開いたとしても風通しが悪い。又苗が大きくなった場合に対応できない。
【０００７】
特許文献３に記載のカプセル・植木鉢は植木鉢にカプセルをかぶせているだけであるので、水やりをする場合、通風を計る場合はカプセルを取り外さなければならない。
【０００８】
この考案は植木鉢または土地に植えられた植物を保護育成する鉢帽であって、通風、水やりが容易で密閉可能であると共に該植物が成長して上方に伸びた際にも対応可能な鉢帽を提供することを目的とする。
【課題を解決するための手段】
【０００９】
この考案は植木鉢または土地に着脱可能で植木鉢に植えた植物を蔽う鉢帽において、
植木鉢の上縁に取り外し可能に装着される装着部と、ほぼ直上に設けた上開口部と、直下に設けた開口部と、側面に設けた側開口部とを有する鉢帽本体と、
鉢帽本体の上開口部に着脱可能な気密性、透光性の天窓と、
鉢帽本体の側開口部に着脱可能な気密性、透光性の側窓と、
を有することを特徴とする鉢帽である。
【考案の効果】
【００１０】
この考案によれば雪害、霜害、寒風、鳥害を防止できる植木鉢に用いる鉢帽において、水やりが容易であり、育苗が高くなってもそのまま使用できる。また必要に応じて通風をよくすることができる。
【図面の簡単な説明】
【００１１】
【図１】この考案の実施例の正面図である。
【図２】鉢帽本体の斜視図である。
【図３】植木鉢と鉢帽の装着部の縦断面図である。
【図４】側窓の鉢帽本体への装着部を示す水平断面図である。
【図５】天窓の鉢帽本体への装着部を示す縦断面図である。
【図６】この考案の他の実施例を示す斜視図である。
【考案を実施するための形態】
【００１２】
以下、この考案を実施するための形態と実施例を図面を用いて説明する。図１はこの考案の実施例の正面図、図２は鉢帽本体３の斜視図である。
【００１３】
全体を符号１で示す鉢帽は植木鉢２または土地に着脱可能であり、植木鉢２の上縁部２ａまたは土地に取外し可能に装着される装着部３ａと、ほぼ直上に設けた上開口部３ｂと、直下に設けた下開口部３ｈと、側面に設けた側開口部３ｃを有する鉢帽本体３を有する。
【００１４】
鉢帽１は上開口部３ｂに着脱可能な気密性、透光性の天窓４と、側開口部３ｃに着脱可能な気密性、透光性の側窓５とを有する。
【実施例】
【００１５】
以下、図面に従ってこの考案の実施例について説明する。
【００１６】
（実施例１）
植木鉢２は底側が小端となる截円錐形容器であり、上縁２ａは外周側に張り出して肉厚を他に比べて同厚又は厚くしてある。ただし、上縁２ａの外周側の張り出しのない植木鉢も採用可能である。
【００１７】
鉢帽本体３は上下両端が全面開口している中空の截円錐形である。鉢帽本体３は上端が小端、下端が大端である。鉢帽本体３の上端の開口が上開口部３ｂである。下端の開口が下開口部３ｈである。鉢帽本体３の側面には側開口部３ｃが設けてある。側開口部３ｃは半円形又は吊鐘形であり、下縁３ｄの上端から上方に向って設ける。側開口部３ｃは鉢帽本体３の片側に設けて鉢帽本体の下縁３ｄは図３に示すように植木鉢２の上縁２ａの円周に緩く嵌合する円筒形の嵌合部３ｅが設けてある。鉢帽本体３の嵌合部３ｅは鉢帽本体３の大端３ｇよりも直径が小さく、図３に示すように大端３ｇからオフセットした位置に設けてある。
【００１８】
鉢帽本体３の装着部３ａは大端から垂下する帯状である。鉢帽本体３の装着部３ａは鉢帽本体３の全周を３等配又は４等配（本例）した位置に夫々設けてある。装着部３ａは先端が逆爪付のフック３ａ１を有し、鉢帽本体３を下方に移動して植木鉢２に装着する際にはフック３ａ１が植木鉢２の上縁２ａの外周に接して弾力に抗して半径方向外方に変位され装着部３ａはたわむが、フック３ａ１が上縁２ａを下方へ越えると装着部３ａの弾力でフック３ａ１は植木鉢２の中心部へ向い上縁２ａの下の段部に係合する。
【００１９】
ここで、鉢帽本体３が弾力を有する合成樹脂の場合は、装着部３ａは鉢帽本体３と一体成形できる。鉢帽本体３がガラス、素焼の瀬戸物等の場合、装着部３ａは鉢帽本体３と別体の弾性体、例えば合成樹脂、金属製板ばね等で作り、鉢帽本体３に固定する。
【００２０】
鉢帽本体３の材質としては気密性を要するので上記のように合成樹脂、ガラス、素焼瀬戸物等であり、成型品である。
【００２１】
天窓４は上方に向って凸でほぼ中空半球形状である。図５に示すように鉢帽本体３の上縁３ｆは外方に向って膨出している。天窓４の下方の開口となっている下縁４ａは鉢帽本体３の上縁３ｆの内周に嵌合する円筒形の嵌合部４ａ１を有する。天窓４の下縁４ａには鉢帽本体３の上縁３ｆを加圧するように幅のせまい爪４ｂが設けてある。爪４ｂは下縁４ａを３等配した位置に設けてある。天窓４としては透明アクリル樹脂、透明ガラス等の何れかが採用される。
【００２２】
側窓５は鉢帽本体３の側開口部３ｃに装着した状態では鉢帽本体３の側開口部３ｃを除く外周と併せて内側が大略円錐形となる曲面を有する板状である。
【００２３】
図４に示すように側窓５の内周面には側開口部３ｃの周辺において、係脱可能に爪５ａが設けてある。爪５ａの形状は図４に示すように先端が側開口部３ｃよりも左方に入り込むようになっている。爪５ａは側開口部３ｃの縁により保持されるように、側窓５の周縁３個所、例えば、側窓５の直上、下部の左右に設けられる。爪５ａは側開口部３ｃの縁の最高位置及び最低位置の左右に係合する。
【００２４】
鉢帽本体３に対する天窓４の装着は、天窓４を鉢帽本体３の上開口部３ｂに向って下方へ移動する。すると、嵌合部４ａ１が上開口部３ｂに嵌合する。更に天窓４を下方に移動すると爪４ｂが断面で見て外周側へ向って丸く膨出してある上縁３ｆの外周側によって弾力に抗して押されて爪４ｂの先端が上縁３の膨出部を越えて弾力で先端が上縁３ｆ下で鉢帽本体３を加圧して保持される。
【００２５】
鉢帽本体３から天窓４を取り外すには爪４ｂの何れか１つの先端を上方へ向って押し上げると、天窓４は鉢帽本体３から外れる。
【００２６】
鉢帽本体３に対する側窓５の装着は、側開口部３ｃに側窓５の周縁を合わせて押し込むと爪５ａは弾力で側開口部３ｃの縁によって爪５ａの先端側方の膨出部分が撓まされて側開口部３ｃの縁をこの膨出部分がのり越えると爪５ａは復元され、側窓５は鉢帽本体３に装着される。
【００２７】
植木鉢２への鉢帽１の装着は、鉢帽本体３を先ず植木鉢２に鉢帽本体３を装着した後に、天窓４、側窓５を鉢帽本体３に装着してもよく、天窓４、側窓５を取り付けた鉢帽本体３、即ち鉢帽１を植木鉢２に装着してもよい。植木鉢２から鉢帽１を取り外すには、天窓４、側窓５を取り付けた鉢帽本体３、即ち、鉢帽１を取り外してもよく、鉢帽本体３から天窓４、側窓５を取り外した後に、鉢帽本体３を植木鉢２から取り外してもよい。更に又、鉢帽本体３に対して取り扱いに関しては、天窓４、又は側窓５の何れかを鉢帽本体３に着脱するようにしてもよい。
【００２８】
鉢帽１は鉢帽本体３を植木鉢３に着脱するには図３に示すように植木鉢２の直上から鉢帽本体３を降下させると、鉢帽本体３の装着部３ａは植木鉢２の上縁２ａの外周側の角に当り弾力に抗して外方へ撓まされる。フック３ａ１の先端は上縁２ａの外周をすべり鉢帽本体３と共に下降する。この下降途中で鉢帽本体３の嵌合部３ｅが上縁２ａに嵌合する。フック３ａ１の先端が上縁２ａの下端を越えると、装着部３ａの弾力でもってフック３ａ１は上縁２ａの下の段部と係合する。
【００２９】
植木鉢２から鉢帽本体３を外すには、図示隙間ｇにドライバ等の先を押し込み装着部３ａを上縁３ａに対して押し拡げてフック３ａ１の先を上縁２ａの下端から外して鉢帽本体３を上方へ移動する。
【００３０】
植木鉢２に植えられた苗６は植木鉢２に装着された鉢帽１によって保護される。図１に示すように鉢帽本体３に天窓４、側窓５が装着されている状態では雪害、霜害、寒風、鳥害から苗６は守られる。また、日射により保温もされるので温室効果がある。天窓４、側窓５は透明であるから採光ができる。また、鉢帽本体３を透明なガラス、合成樹脂等とすれば採光にすぐれる。通風が必要なときは、側窓５を開くと通風できるが更に加えて天窓４を開くとより開放された状態となる。
【００３１】
苗６への水やりは側窓５を鉢帽本体３から取り外して側開口部３ｃを通じて行うことができる。又、天窓４を鉢帽本体３から取り外して上開口部３ｂから行うこともできる。
【００３２】
苗６が大きくなり、天窓４に近づくと、苗６も耐候性が増大しており、天窓４を外しておけば苗６は大きく育つことができる。
【００３３】
鉢帽本体３の下縁３ｄの肉厚を厚くして他を薄くすることによれば下縁３ｄが側窓５の下を通って閉じた円形であるため、全体としては軽量化できると共に強度を保てる。
【００３４】
鉢帽本体３を植木鉢２に取り付けたまま、可搬性があるので、取り扱いが簡単である。
【００３５】
又、この鉢帽１は地上に植えた苗等の保護に用いることもできる。即ち、鉢帽１の下側を地面に置くと装着部３ａを地中へ差し込むこともできる。
【００３６】
（実施例２）
図６にこの考案の実施例２を示す。鉢帽本体３は上下両端が全面開口した中空の截角錐形容器であり、上縁３ｆは外周側に張り出して肉厚を他に比べて同厚若しくは厚くしてある。本例では鉢帽本体３は水平断面が正方形の角錐であるが、プランタ等に適用する場合は水平断面は一辺が他の辺に比べて著しく長い矩形である。
【００３７】
鉢帽本体３の下端の下開口部３ｈの周縁には外フランジとした装着部３ａが一体に設けてある。装着部３ａには貫通した取付穴３ａ２が複数設けられている。鉢帽本体３の下開口部３ｈは角形の植木鉢（図示されない）の上縁外周に嵌合する大きさとすると植木鉢にも適用可能である。同じく装着部３ａの外周を同植木鉢の上縁の内側に嵌合するようにしてもよい。この鉢帽本体３を地上の苗等を蔽った場合は、装着部３ａを着地させ、取付穴３ａ２を通じてくぎ等の線状部材を土地に打ち込んで固定して用いる。
【００３８】
鉢帽本体３の４側面の１側面には側開口部３ｃが設けてある。
【００３９】
上開口部３ｂに着脱可能に設けられる天窓４は上方に向って凸で中空であり、下方は鉢帽本体３の各面と同面となるように角錐の一部であるが上部は球の一部をなしその間をなめらかに曲面で結んである。天窓４の下縁側は実施例と同様の構成（図５参照）であり、爪４ｂを有して、鉢帽本体３に取り外し可能に装着される。側開口部３ｃに着脱可能に設けられる側窓５は側開口部３ｃに装着した状態では内面が鉢帽本体３の側面と同一平面上に有り、平板状である。側窓５の鉢帽本体３への取付取外しの構成は図示されないが実施例１と同様に爪５ａを側開口部３ｃの縁に係脱させる（図４参照）。
【符号の説明】
【００４０】
１…鉢帽    
２…植木鉢  ２ａ…上縁  
３…鉢帽本体  ３ａ…装着部  ３ａ１…フック  ３ａ２…取付穴  ３ｂ…上開口部  ３ｃ…側開口部  ３ｄ…下縁  ３ｅ…嵌合部  ３ｆ…上縁  ３ｇ…大端  ３ｈ…下開口部        
４…天窓  ４ａ…下縁  ４ａ１…嵌合部  ４ｂ…爪  
５…側窓  ５ａ…爪  
６…苗
ｇ…隙間
【図１】
0003149541.tif 000003
【図２】
0003149541.tif 000004
【図３】
0003149541.tif 000005
【図４】
0003149541.tif 000006
【図５】
0003149541.tif 000007
【図６】
0003149541.tif 000008